(57)【特許請求の範囲】
【請求項１】
飲料パックに形成された開口と略同一径の貫通孔を有するとともに前記貫通孔と前記開口とを位置合わせした状態で前記飲料パックに受け口として接着されたベース部材を介して前記飲料パックに取り付けられる飲料パック用吸引具であって、
先端側で飲料パックに取り付けた前記ベース部材の前記貫通孔に差し込まれ、中間位置に排出口が形成されたチューブを有する貫刺部材と、
一端側で開放された内部空間を有するとともに、当該内部空間に収容された液体を他端側から徐々に吐出させるニップル部材と、
前記チューブを前記ベース部材の前記貫通孔に差し込んだ状態で当該チューブの根本側を前記ベース部材に対して液密に固定するチューブ固定手段と、
前記ニップル部材の一端側を前記貫刺部材に対して液密に固定するとともに、前記チューブの根本側の開口に対して前記ニップル部材の内部空間を連通させるニップル固定手段と、
を備え、
前記ニップル部材の一端側を前記貫刺部材に対して液密に固定する際に、前記チューブ固定手段の外周壁外面と前記ニップル固定手段の外周壁内面とが互いに螺合し、
前記ニップル固定手段と螺合した前記チューブ固定手段の外周壁内面が前記ベース部材の外周壁外面と螺合することを特徴とする飲料パック用吸引具。
【請求項２】
前記ニップル部材に代えて、前記ニップル固定手段によって前記貫刺部材に対して液密に固定可能であるとともに前記飲料パックに収容された液体が前記チューブを介して前記飲料パック外に吐出することを阻止するシール部材を備えることを特徴とする請求項１記載の飲料パック用吸引具。
【請求項３】
前記ニップル固定手段に対して分離可能に装着されて前記ニップル部材を保護するニップル側キャップと、前記ニップル固定手段に対して直接又は間接的に分離可能に装着されて前記チューブを保護するチューブ側キャップと、をさらに備える請求項１及び請求項２のいずれか一項記載の飲料パック用吸引具。
【発明の詳細な説明】
【０００１】
【発明の属する技術分野】
本発明は、ブリックパック等の市販飲料パック中の飲料を簡易・確実に吸引するための飲料パック用吸引具に関する。
【０００２】
【従来の技術】
虚弱者、幼児、老人、病院の患者等に適切な栄養補給等を行なう目的で直方体形状のブリックパックにつめた栄養飲料が販売されている。虚弱者等は、ブリックパックの開口にストローを刺し込んで栄養飲料を吸引することで、栄養飲料を経腸摂取することができる。
【０００３】
上記のようなブリックパックは、ある程度の身体機能や体力があって自力で活動できる虚弱者、幼児、老人、患者等が使用することを前提として製造されているため、例えばストローを刺し込んだり吸引することができない乳児、起き上がることが困難な介護老人、極度に衰弱した病人等は、このブリックパックに充填したままでは栄養飲料を摂取することができない。このため、保護者や介護人等は、ブリックパック中の栄養飲料を哺乳瓶や吸呑み等に移し替えることにより、このような哺乳瓶や吸呑みを介して乳児や介護老人、病人等に栄養飲料を与えている。
【０００４】
【発明が解決しようとする課題】
しかし、ブリックパック中の栄養飲料を哺乳瓶等の別の容器に移すことは、哺乳や介護に際しての作業の手間が増えてしまう。また、ブリックパックから哺乳瓶等に移す際に、栄養飲料が細菌、有害物質等にさらされる可能性もあり、衛生管理上も好ましくない。
【０００５】
そこで、本発明は、育児や介護の作業性を高め、衛生管理上の観点からも適切な栄養飲料の摂取を可能にする飲料パック用吸引具を提供することを目的とする。
【０００６】
【課題を解決するための手段】
上記課題を解決するため、本発明の飲料パック用吸引具は、先端側で飲料パックに取り付けた受け口に差し込まれるチューブを有する貫刺部材と、一端側で開放された内部空間を有するとともに、当該内部空間に収容された液体を他端側から徐々に吐出させるニップル部材と、前記チューブを前記受け口に差し込んだ状態で当該チューブの根本側を前記受け口に対して液密に固定するチューブ固定手段と、前記ニップル部材の一端側を前記貫刺部材に対して液密に固定するとともに、前記チューブの根本側の開口に対して前記ニップル部材の内部空間を連通させるニップル固定手段とを備える。
【０００７】
上記飲料パック用吸引具によれば、チューブ固定手段により、前記チューブの根本側を前記受け口に対して液密に固定し、ニップル固定手段により、前記チューブの根本側の開口に対して前記ニップル部材の内部空間を連通させるので、乳児や介護老人等が飲料パックを手にとってニップル部材を吸うことにより、飲料パック中の栄養飲料等を貫刺部材のチューブとニップル部材とを介して外部すなわち幼児や介護老人等の口腔内に吐出させることができる。この際、チューブ固定手段やニップル固定手段によって、受け口と貫刺部材に設けたチューブの根本側とが液密に固定され、貫刺部材とニップル部材の一端側とが液密に固定されるので、飲料パックを上下逆さまにした場合であっても、飲料パックの受け口の周囲から飲料パック中の栄養飲料等が漏れ出すことを防止することができる。つまり、飲料パックから哺乳瓶や吸呑みに移すことなく乳児や介護老人等に栄養飲料等を与えることができるので、育児や介護の作業性を高めることができ、細菌等の混入を防止して栄養飲料等の衛生的摂取が可能になる。
【０００８】
ここで、飲料パックとは、各種飲料を収納する自立型の飲料容器を意味し、通常は直方体形状若しくは円筒形状を有する。このような飲料パックには、ビタミン、ミネラル等の多様な栄養素を含有する所謂栄養飲料のみならず、漢方を含む各種の医薬を含有する各種飲料が、用途に応じて適宜収容される。
【０００９】
上記飲料パック用吸引具の具体的な態様では、前記ニップル固定手段が、前記チューブ固定手段として前記チューブを前記受け口に対して固定する。この場合、前記ニップル固定手段によって、前記チューブと前記ニップル部材とを一括して受け口側に固定することになるので、簡単な構造の飲料パック用吸引具を提供することができる。
【００１０】
上記飲料パック用吸引具の別の具体的な態様では、前記受け口が、前記飲料パックに形成された開口と略同一径の貫通孔を有し、当該貫通孔と前記開口とを位置合わせした状態で前記飲料パックに接着可能であり、前記貫通孔によって前記チューブの先端部を受容するベース部材を有する。この場合、飲料パックはベース部材を取り付けた状態で販売されるので、保護者や介護者等、或いは老人自身が、貫刺部材、ニップル部材、チューブ固定手段、及びニップル固定手段からなる飲料パック用吸引具をユニットとして受け口のベース部材に取り付けるだけで、飲料パック中の栄養飲料等をニップル部材から吸い出せる状態になる。
【００１１】
上記飲料パック用吸引具の別の具体的な態様では、前記ニップル固定手段に対して分離可能に装着されて前記ニップル部材を保護するニップル側キャップをさらに備える。この場合、吸引を一時的に中断した状態のニップル部材を衛生的に保つことができる。
【００１２】
上記飲料パック用吸引具の別の具体的な態様では、前記ニップル固定手段に対して直接又は間接的に分離可能に装着されて前記チューブを保護するチューブ側キャップをさらに備える。この場合、使用前のチューブやニップル部材を衛生的に保つことができ、飲料パック用吸引具の携帯も簡単になる。
【００１３】
上記飲料パック用吸引具の別の具体的な態様では、前記ニップル部材に代えて、前記ニップル固定手段によって前記貫刺部材に対して液密に固定可能であるとともに前記飲料パックに収容された液体が前記チューブを介して前記飲料パック外に吐出することを阻止するシール部材を備える。この場合、飲料パック中に栄養飲料が残った状態で吸引を中止したときであっても、飲料パック中の栄養飲料が外部に漏れ出すことを防止できる。
【００１４】
【発明の実施の形態】
以下、図面を参照して、本発明の実施形態に係る飲料パック用吸引具について説明する。
〔第１実施形態〕
図１は、第１実施形態に係る飲料パック用吸引具の装着状態の外観を説明する斜視図である。この飲料パック用吸引具１０は、外形が直方体で自立型の飲料容器である飲料パック９０に取り付けられる。この飲料パック用吸引具１０は、飲料の吸い口であるニップル部材２１からなる本体部分２０と、この本体部分２０に対して分離可能に装着されてニップル部材２１を保護するニップル側キャップ６０とを備える。弾性体で形成されたニップル部材２１の先端には、細い亀裂２１ａが形成されており、乳児や介護老人は、哺乳瓶を扱うのと同様にして、飲料パック９０からニップル部材２１の内部空間に流れ込んできた飲料をニップル部材２１の先端から吸引・摂取することができる。
【００１５】
なお、飲料パック用吸引具１０を装着する対象である飲料パック９０は、ブリックパック、テトラパック等と呼ばれて市販されているものである。この場合、飲料パック９０中には、乳児、介護老人等に適切な栄養補給を行なうための栄養飲料が充填されている。飲料パック９０自体は、内側にポリエチレン等の樹脂材をコートした厚紙からなり、表面にもポリエチレン等の樹脂材を被覆したりワックスをコートしている。
【００１６】
以下、飲料パック用吸引具１０の詳細について説明する。図２は、飲料パック用吸引具１０の本体部分２０の構造を説明する分解斜視図であり、図３は、この本体部分２０の内部構造を説明する側方断面図である。この本体部分２０は、上述のニップル部材２１の他に、図１の飲料パック９０に予め取り付けてあるベース部材４０と螺合するとともにこれに対して液密に固定される抽出部材２２と、ニップル部材２１の開放された一端側を抽出部材２２に対して液密に固定するニップル固定部材２３とを備える。ここで、抽出部材２２は、貫刺部材及びチューブ固定手段として機能し、ニップル固定部材２３は、ニップル固定手段として機能する。
【００１７】
ニップル部材２１は、哺乳瓶の乳首部分と同様の形状を有しており、一端が開放され他端が閉じた筒状の本体部分２１ｂからなっている。ニップル部材２１の開放された一端には、ニップル部材２１を抽出部材２２に固定するための鍔部分２１ｃが形成されている。また、ニップル部材２１の他端すなわちドーム状の頂部には、十字状に細い亀裂２１ａが形成されており、ニップル部材２１のドーム状頂部の外部に負圧を与えることにより、ニップル部材２１の内部空間ＩＳに溜まった飲料を外部に吐出させることができる。
【００１８】
なお、上記のニップル部材２１は、円板上のシール部材２５に置き換えることができる。この場合、抽出部材２２がシール部材２５に封止されることになるので、飲料パック９０中の飲料が飲料パック用吸引具１０を介して外部に漏れ出すことを確実に防止できる。
【００１９】
抽出部材２２は、飲料パック９０に取り付けた受け口であるベース部材４０の貫通孔４０ａに差し込まれるチューブ２８と、チューブ２８をベース部材４０に差し込んだ状態でその根本側をベース部材４０に対して液密に固定するためのチューブ固定手段であるチューブ固定部材２９とからなる。
【００２０】
このうち、前者のチューブ２８の先端には、鋭角でカットされて引込口ＩＯが形成されており、ベース部材４０の中心の貫通孔４０ａを介して、図１の飲料パック９０の開口９１にチューブ２８を刺し込むことで、開口９１のフィルムが穿孔される。この引込口ＩＯにより、図１に示すように飲料パック用吸引具１０を取り付けた飲料パック９０を傾け或いは上下逆さまにすることで、内部の栄養飲料をチューブ２８を介してニップル部材２１の内部空間ＩＳに流出させることができる。チューブ２８の中間位置（チューブ２８が飲料パック９０内に突出する根本位置）には、残液排出用の排出口ＤＨが形成されている。この排出口ＤＨにより、飲料パック９０中の栄養飲料をニップル部材２１を介してほぼ外部に吐出させるができ、栄養飲料の残留を防止して無駄を回避することができる。チューブ２８の根本であって、チューブ固定部材２９の付け根の下部には、環状のリブ２８ｃが形成されている。このリブ２８ｃは、ベース部材４０の貫通孔４０ａの上部縁部分に形成された環状の窪み４０ｈに嵌ってこれに密着する。これらのリブ２８ｃ及び窪み４０ｈは、シール部を構成し、ベース部材４０の外側に栄養飲料が漏れだすことを防止する。ベース部材４０の貫通孔４０ａの下部にも、環状のリブ４０ｉが形成されている。このリブ４０ｉは、シール部としてチューブ２８の外周に密着し、ベース部材４０の外側に栄養飲料が漏れだすことを防止する。
【００２１】
後者のチューブ固定部材２９は、貫通孔４０ａに差し込んだチューブ２８を根本側で支持するフランジ部２９ｂと、フランジ部２９ｂの縁部分に設けられてベース部材４０等と締結される環状部材２９ｃとを備える。ここで、フランジ部２９ｂは、チューブ２８とともに貫刺部材を構成する。チューブ固定部材２９の上面中央には、チューブ２８に連通する開口２９ａが形成されている。この開口２９ａは、チューブ２８の根本側の開口にもなっている。また、環状部材２９ｃの外周壁の外面側には、ニップル固定部材２３の外周壁内面に設けた雌ねじ２３ｆと螺合する３条のねじ山からなる雄ねじ２９ｍが形成されている。この雄ねじ２９ｍを構成する各ねじ山は、軸方向の長さに換算して約１ピッチに相当する長さを有しており、環状部材２９ｃの側面の３領域に別々に形成されている。なお、雄ねじ２９ｍのピッチや巻き数は、抽出部材２２のサイズ等を考慮して適宜変更することができる。
【００２２】
ニップル固定部材２３は、環状で、中心にニップル部材２１を通すための開口２３ａを有する。ここで、ニップル固定部材２３の外周壁の内面側には、抽出部材２２の環状部材２９ｃ外周に設けた雄ねじ２９ｍと螺合する雌ねじ２３ｆが形成されている。なお、ニップル固定部材２３の開口２３ａの内径は、ニップル部材２１の本体部分２１ｂとほぼ等しく鍔部分２１ｃの外径よりも小さくなっており、ニップル固定部材２３と抽出部材２２のフランジ部２９ｂとの間にこの鍔部分２１ｃを挟むことにより、抽出部材２２に対してニップル部材２１を圧着して液密に固定することができる。
【００２３】
ベース部材４０は、通常、飲料パック９０に予め取り付けておくものであり、飲料パック９０の開口９１と同一径の円形の貫通孔４０ａを有する。ベース部材４０の裏面全体には、貫通孔４０ａの近傍を除いて粘着材層４５が形成されている。この粘着材層４５により、貫通孔４０ａと開口９１とを位置合わせした状態でベース部材４０を飲料パック９０に固定することができる。ここで、ベース部材４０の外周壁の外面側には、抽出部材２２を構成するチューブ固定部材２９の外周壁内面に設けた雌ねじ２９ｆと螺合する３条のねじ山からなる雄ねじ４０ｍが形成されている。ベース部材４０の雄ねじ４０ｍも抽出部材２２の雄ねじ２９ｍと同様の形状を有している。
【００２４】
ここで、飲料パック用吸引具１０の材料について簡単に説明しておく。まず、本体部分２０のうち抽出部材２２、ニップル固定部材２３及びベース部材４０は、ポリプロピレン、ポリエチレンなどの半硬質材料から射出成形によって形成される。また、ニップル部材２１の材料としては、弾性変形するシリコーンゴム、天然ゴムなどの弾性樹脂が好適である。
【００２５】
図１〜図３に示す飲料パック用吸引具１０の取付作業について説明する。予め、飲料パック９０の開口９１部分にベース部材４０を固定したものを準備する。具体的には、洗浄や滅菌処理を施したベース部材４０を用意し、裏面の保護シールを除去して粘着材層４５を露出させる。次に、貫通孔４０ａと開口９１とを位置合わせした状態で、ベース部材４０を飲料パック９０に張り付けて固定する。なお、飲料パック９０は、ベース部材４０を取り付けた状態で販売することもできるが、ベース部材４０のない通常の状態で販売することもできる。ベース部材４０を取り付けた飲料パック９０に対しては、本体部分２０が飲料パック用吸引具１０として販売・使用される。また、ベース部材４０を取り付けてない飲料パック９０に対しては、本体部分２０とベース部材４０のセットが飲料パック用吸引具１０として販売・使用される。
【００２６】
そして、洗浄や滅菌処理を施した本体部分２０を準備し、これをベース部材４０に固定する。具体的には、本体部分２０から延びるチューブ２８をベース部材４０に設けた貫通孔４０ａを介して開口９１に差し込んで、本体部分２０を構成するニップル固定部材２３を適当な力で時計方向に回転させる。これにより、本体部分２０を構成する抽出部材２２も回転し、抽出部材２２がベース部材４０と螺合してロックされ、チューブ２８がフィルムを破って開口９１に挿入される。この際、シール部であるリブ２８ｃ、窪み４０ｈ及びリブ４０ｉによって周囲の液密が保たれる。
【００２７】
なお、飲料パック用吸引具１０の本体部分２０は、以下のようにして組立られる。まず、洗浄や滅菌処理を施したニップル部材２１、抽出部材２２、及びニップル固定部材２３を準備し、ニップル固定部材２３の開口２３ａにニップル部材２１のドーム状の端部を通すことにより、ニップル固定部材２３の開口２３ａの縁部分でニップル部材２１の鍔部分２１ｃを係止する。この状態で、ニップル固定部材２３内に抽出部材２２をねじ込むことにより、ニップル固定部材２３と抽出部材２２のチューブ固定部材２９とが螺合してニップル固定部材２３及び抽出部材２２が相互に固定される。この際、ニップル固定部材２３とチューブ固定部材２９との間にニップル部材２１の鍔部分２１ｃが挟持されて液密に固定される。これにより、チューブ２８を介してニップル部材２１中に流れ込んだ栄養飲料がニップル固定部材２３の開口２３ａの周囲等から外部に漏れ出すことを防止できる。
【００２８】
以下、飲料パック用吸引具１０の使用方法について説明する。図１のように組み立てた飲料パック用吸引具１０付の飲料パック９０は、保護者等によって乳児や介護老人等に渡される。乳児や介護老人等は、飲料パック９０を手にとって傾けつつニップル部材２１を吸うことにより、飲料パック９０中の栄養飲料等をチューブ２８、ニップル部材２１等を介して経口摂取することができる。飲料の吸引を一時的に中断した場合は、ニップル側キャップ６０を装着することにより、ニップル部材２１の周囲をある程度の期間衛生的に保つことができ、ニップル部材２１から飲料が漏れ出すことを防止できる。
【００２９】
飲料パック９０中の栄養飲料等を飲み干した場合、保護者等は、本体部分２０を回転させてネジを弛め、ベース部材４０から本体部分２０を取り外す。飲料パック９０は廃棄されるが、本体部分２０は、洗浄や滅菌によって再利用することができ、保護者や介護者等が必要なタイミングで随時使用できるように携行することもできる。
【００３０】
図４は、飲料パック用吸引具１０の本体部分２０を携帯したり収納するためのキャップを説明する斜視図である。ニップル部材２１は、ニップル側キャップ６０によって保護され、チューブ２８は、チューブ側キャップ７０によって保護される。
【００３１】
ニップル側キャップ６０は、本体部分２０のニップル部材２１を収納するケース部分６１と、ニップル固定部材２３が内部に嵌合して固定される固定部材６２とを備える。また、チューブ側キャップ７０は、本体部分２０に設けたチューブ２８の先端側を収納するケース部分７１と、抽出部材２２の内側にねじ込まれて固定される固定部材７２とを備える。固定部材７２の上部中央には、ベース部材４０の貫通孔４０ａと同様の貫通孔７２ａが形成されており、また固定部材７２の外周には、ベース部材４０外周の雄ねじ４０ｍと同様の雄ねじ７２ｍが形成されている。
【００３２】
以上のような、ニップル側キャップ６０やチューブ側キャップ７０を装着した状態で飲料パック用吸引具１０を携行、保管することにより、本体部分２０を衛生的に保つことができる。
〔第２実施形態〕
図５は、第２実施形態に係る飲料パック用吸引具の本体部分の構造を説明する分解斜視図であり、図６は、この本体部分の内部構造を説明する側方断面図である。第２実施形態の飲料パック用吸引具は、第１実施形態の飲料パック用吸引具１０を、その抽出部材２２やニップル固定部材２３について変形したものであり、同一部分には同一の符号を付して重複説明を省略する。
【００３３】
この飲料パック用吸引具の本体部分１２０は、飲料パック９０に取り付けたベース部材４０に嵌合する貫刺部材１２２と、貫刺部材１２２及びニップル部材２１をベース部材４０に対してともに液密に固定するニップル固定部材１２３とを備える。つまり、ニップル固定部材１２３は、ニップル固定手段のみならずチューブ固定手段として機能する。
【００３４】
貫刺部材１２２は、飲料パック９０に設けたベース部材４０の貫通孔４０ａに差し込まれるチューブ２８と、チューブ２８を貫通孔４０ａに差し込んだ状態でベース部材４０の上面に当接するフランジ部１２９とからなる。
【００３５】
フランジ部１２９は、ベース部材４０の外形とほぼ等しい外形を有する板状体であり、上面中央には、チューブ２８に連通する開口１２９ａが形成されている。フランジ部１２９は、ベース部材４０上面に密着した状態でチューブ２８を貫通孔４０ａ中に支持する。なお、フランジ部１２９は、ニップル部材２１の鍔部分２１ｃの外径とほぼ等しい外径を有し、フランジ部１２９の縁部分は、鍔部分２１ｃと密着可能になっている。
【００３６】
ニップル固定部材１２３は、中心にニップル部材２１を通すための開口１２３ａを有する。ここで、ニップル固定部材１２３の外周壁の内面側には、ベース部材４０の外周に設けた雄ねじ４０ｍと螺合する雌ねじ１２３ｆが形成されている。なお、ニップル固定部材１２３に設けた開口１２３ａの縁部分とベース部材４０の上面との間に、貫刺部材１２２のフランジ部１２９とニップル固定部材１２３の鍔部分２１ｃとを重ね合わせて挟むことにより、ベース部材４０に対してフランジ部１２９を圧着して液密に固定することができ、フランジ部１２９に対してニップル部材２１を圧着して液密に固定することができる。
【００３７】
図５及び図６に示す飲料パック用吸引具１０の取付作業について説明する。予め、飲料パック９０の開口９１部分にベース部材４０を固定したものを準備する。次に、洗浄や滅菌処理を施した貫刺部材１２２のチューブ２８をベース部材４０の貫通孔４０ａを介して開口９１に差し込む。次に、洗浄や滅菌処理を施したニップル部材２１とニップル固定部材１２３を準備し、ニップル固定部材１２３の開口１２３ａにニップル部材２１のドーム状の端部を通すことによって、ニップル固定部材１２３の開口１２３ａの縁部分でニップル部材２１の鍔部分２１ｃを係止する。この状態を保持しつつ、ニップル固定部材１２３をベース部材４０とネジ合わせてベース部材４０側に固定する。これにより、ベース部材４０と貫刺部材１２２との間では、リブ２８ｃ、窪み４０ｈ及びリブ４０ｉによってシールが達成される。また、貫刺部材１２２とニップル部材２１との間では、鍔部分２１ｃによってシールが達成される。
【００３８】
なお、上記のニップル部材２１は、円板状のシール部材１２５に置き換えることができる。この場合、飲料パック９０中の飲料が飲料パック用吸引具１０を介して外部に漏れ出すことを確実に防止できる。
【００３９】
以下、図５及び図６に示す飲料パック用吸引具１０の使用方法について説明する。飲料パック用吸引具１０付の飲料パック９０は、保護者等によって乳児や介護老人等に渡される。乳児や介護老人等は、飲料パック９０を手にとって傾けつつニップル部材２１を吸うことにより、飲料パック９０中の栄養飲料等をチューブ２８、ニップル部材２１等を介して経口摂取することができる。飲料パック９０中の栄養飲料等を飲み干した場合、保護者等は、ニップル固定部材２３を回転させてネジを弛め、ベース部材４０からニップル部材２１、ニップル固定部材２３、及び貫刺部材１２２を取り外す。ニップル部材２１、ニップル固定部材２３、及び貫刺部材１２２は、洗浄や滅菌によって再利用することができ、保護者や介護者等は、図４に示すと同様のニップル側キャップ６０やチューブ側キャップ７０によってニップル部材２１、ニップル固定部材２３、及び貫刺部材１２２を保護することができる。
〔第３実施形態〕
図７は、第３実施形態の飲料パック用吸引具を説明する側面図である。第３実施形態の飲料パック用吸引具は、第１実施形態や第２実施形態の飲料パック用吸引具をニップル部材２１について変形したものであり、ここでは、変形したニップル部材１２１のみについて説明する。
【００４０】
このニップル部材１２１は、吸い口である球形の本体部分１２１ｂと、ニップル部材２１をニップル固定部材２３、１２３、抽出部材２２、及び貫刺部材１２２に固定するための鍔部分２１ｃとを備える。この場合、本体部分１２１ｂが球形となっており、くわえ易くなっている。
〔第４実施形態〕
図８は、第４実施形態の飲料パック用吸引具を説明する側方断面図である。第４実施形態の飲料パック用吸引具は、これを取り付ける対象である飲料パックの形状が第１実施形態等の場合と異なる。すなわち、円柱状の飲料パック１９０に設けた平坦な上面１９０ｇに第１及び第２実施形態と同様の飲料パック用吸引具１０を取り付けている。このように、実施形態の飲料パック用吸引具は、様々なタイプの飲料パックに取り付けることができる。
【００４１】
以上実施形態に即して本発明を説明したが、本発明は、上記実施形態に限定されるものではない。例えば上記実施形態では、飲料パック９０の開口９１に設けたフィルムに本体部分２０のチューブ２８を突き刺しているが、飲料パック９０の開口９１がプルタブでシールされている場合、このプルタブを剥がして開口９１を開放した後、この周囲にベース部材４０を固定し、本体部分２０のチューブ２８を貫通孔４０ａと開口９１とに差し込んで本体部分２０をねじ回してベース部材４０に固定すれば足る。
【００４２】
【発明の効果】
以上の説明から明らかなように、本発明の飲料パック用吸引具によれば、乳児や介護老人等が飲料パックを手にとってニップル部材を吸うことにより、飲料パック中の栄養飲料等を貫刺部材のチューブとニップル部材とを介して外部すなわち幼児や介護老人等の口腔内に吐出させることができる。この際、チューブ固定手段やニップル固定手段によって、受け口と貫刺部材に設けたチューブの根本側とが液密に固定され、貫刺部材とニップル部材の一端側とが液密に固定されるので、飲料パックを上下逆さまにした場合であっても、飲料パックの受け口の周囲から飲料パック中の栄養飲料等が漏れ出すことを防止することができる。つまり、飲料パックから哺乳瓶や吸呑みに移すことなく乳児や介護老人等に栄養飲料等を与えることができるので、育児や介護の作業性を高めることができ、細菌等の混入を防止して栄養飲料等の衛生的摂取が可能になる。
【図面の簡単な説明】
【図１】第１実施形態に係る飲料パック用吸引具の装着状態の外観を説明する斜視図である。
【図２】図１に示す飲料パック用吸引具の本体部分の構造を説明する分解斜視図である。
【図３】図２に示す本体部分の内部構造を説明する側方断面図である。
【図４】飲料パック用吸引具の本体部分を携帯したり収納するためのキャップを説明する斜視図である。
【図５】第２実施形態に係る飲料パック用吸引具の本体部分の構造を説明する分解斜視図である。
【図６】図５に示す本体部分の内部構造を説明する側方断面図である。
【図７】第３実施形態の飲料パック用吸引具を説明する側面図である。
【図８】第４実施形態の飲料パック用吸引具を説明する側方断面図である。
【符号の説明】
２０      本体部分
２１      ニップル部材
２１ａ    亀裂
２１ｃ    鍔部分
２２      抽出部材
２３      ニップル固定部材
２３ａ    開口
２５      シール部材
２８      チューブ
２９      チューブ固定部材
２９ａ    開口
２９ｃ    環状部材
４０      ベース部材
４０ａ    貫通孔
４５      粘着材層
６０      ニップル側キャップ
７０      チューブ側キャップ
７２ａ    貫通孔
７２ｍ    雄ねじ
９０      飲料パック
９１      開口
【図１】
0004220163.tif 000002
【図２】
0004220163.tif 000003
【図３】
0004220163.tif 000004
【図４】
0004220163.tif 000005
【図５】
0004220163.tif 000006
【図６】
0004220163.tif 000007
【図７】
0004220163.tif 000008
【図８】
0004220163.tif 000009